(57)【要約】【課題】撮像機器の小型化と強度アップを両立させる。【解決手段】着脱式ハンドルの後方に回動式ビューファインダーを配置して、ハンドル搭載時には、ビューファインダーの回動はハンドルに当接することで止め、かつ、ビューファインダーの構成部品にハンドル固定部の固定ねじが螺合される。【選択図】図１２
2016053662.tif 000002
【特許請求の範囲】
【請求項１】
着脱可能なハンドル部と、前記ハンドル部を固定するハンドル固定手段と、画像表示部と、前記画像表示部を上下に回動する回動手段を有し
前記回動手段は光軸に直交し、かつ底面に平行な回動軸を有しており、
撮像機器本体天面には前記ハンドル部を着脱可能に固定するハンドル固定部を備え、
前記固定部を本体に固定するねじは前記表示回動手段の第一の部品に螺合されていることを特徴とする撮像装置。
【請求項２】
前記ハンドル固定部は前記表示部の前方に配置しており、本体にハンドル部が固定されている状態において、画像表示部を上方に回動していくと、ハンドル部に当接して止まり、前記ハンドル固定部を本体に固定するねじは前記表示回動手段の第一の部品に螺合され、前記螺合される第一の部品は本体シャーシとも締結されていることを特徴とする請求項１に記載の撮像装置。
【発明の詳細な説明】
【技術分野】
【０００１】
本発明は、業務用またはプロアマチュア用の撮像装置において、強度を確保しつつ、ハンドルの取り付け部とビューファインダーの距離を短くした撮像装置に関する。
【背景技術】
【０００２】
従来、業務用またはプロアマチュアが使用するビデオカメラにおいて、天面にハンドルを備え、ハンドルの後方にビューファインダーを備えたものがある（特許文献１）。本従来例ではハンドルとビューファインダーの距離は十分に確保されており、ビューファインダーの可動範囲においてハンドルと当接することはない。
【先行技術文献】
【特許文献】
【０００３】
【特許文献１】特開２００８−５４０２４号公報
【発明の概要】
【発明が解決しようとする課題】
【０００４】
しかしながら上記従来例ではビューファインダーの可動範囲の外にハンドルがあるため、どうしても本体が長くなるという課題があった。
【課題を解決するための手段】
【０００５】
本発明の撮像装置は、撮像機器本体において、着脱可能なハンドル部と、前記ハンドル部を固定するハンドル固定手段と、画像表示部と、前記画像表示部を上下に回動する回動手段と有し、前記回動手段は光軸に直交し、かつ底面に平行な回動軸を有しており、撮像機器本体天面には前記ハンドル部を着脱可能に固定するハンドル固定部を備え、前記ハンドル固定部は前記表示部の前方に配置しており、前記固定部を本体に固定するねじは前記表示回動手段の第一の部品に螺合されていることを特徴とする。
【発明の効果】
【０００６】
本発明によれば、ハンドル部と画像表示部の距離を短くすることで本体の小型化を図り、かつ、画像表示部の回動時において、ハンドル部をストッパーとしており、画像表示部に過大な力を与えた時にハンドル部がその力を受ける。この時ハンドル固定部も大きな力を受ける。ハンドル固定部は、金属の表示部回動手段に固定され、その金属部品が本体シャーシに固定されているので、強度を確保できる。
【図面の簡単な説明】
【０００７】
【図１】本発明実施例の撮像装置の外観を示した前方斜視図。
【図２】本発明実施例の撮像装置の外観を示した後方斜視図。
【図３】本発明実施例の撮像装置の天面の拡大図。
【図４】本発明実施例の撮像装置の電子ビューファインダー周辺の斜視図。
【図５】本発明実施例の撮像装置の電子ビューファインダーヒンジ部の斜視図。
【図６】本発明実施例の撮像装置の電子ビューファインダーヒンジ部の斜視図。
【図７】本発明実施例の撮像装置の天面部の断面図。
【図８】本発明実施例の撮像装置のハンドル装着時の前方斜視図。
【図９】本発明実施例のハンドルユニットの下方斜視図。
【図１０】本発明実施例の撮像装置のハンドル装着状態の天面の断面図。
【図１１】本発明実施例の撮像装置のハンドル装着状態の側面図。
【図１２】本発明実施例の撮像装置の天面の分解図。
【図１３】本発明実施例の撮像装置の天面の分解図。
【図１４】本発明実施例の撮像装置の天面の断面図。
【図１５】本発明実施例の撮像装置の側面図。
【発明を実施するための形態】
【０００８】
以下、添付図面に沿って本発明に掛かる撮像装置の好ましい形態について詳述する。説明においては被撮影者側を前方とし、撮影者側を後方とする。また、左右に関しては被撮影者から見て右側をＲ側、左側をＬ側とする。なお、本発明の関係する部分を中心に説明を行い、発明と直接関連しない部分は省略している。
【０００９】
≪外観説明≫
図１は本発明の撮像装置の外観を示した前方斜視図である。図２は本発明の撮像装置の外観を示した後方斜視図である。
【００１０】
本体１には交換可能なレンズ１１が取りついている。前面下部には撮影の開始と停止を操作するトリガーボタン８を備えている。Ｒカバー部６の上側には電源ノブ７と各種操作ボタンを備え、該Ｒカバー部６の近傍にはヒンジ収納部６１が図示しないパネルヒンジ部を収納し、パネル部５はパネル開閉軸ａを中心に開閉可能である。背面にはバッテリー収納部９を備え、天面後方には電子ビューファインダー部３を備えている。該電子ビューファインダー部３はファインダーヒンジ回動軸ｂを中心に回動可能である。
【００１１】
図３には天面の拡大図を示す。天面部には天面カバー１０１にハンドル取付金具１０２が載置されている。該ハンドル取付金具１０２はファインダーヒンジ回動軸ｂの前方に配置している。該ハンドル取付金具１０２の中央付近には穴１２５があり、該穴１２５からロックねじ１０３のめねじ部１３０が露出している。
【００１２】
≪ビューファインダーとヒンジ部の結合≫
図４には電子ビューファインダー部３周辺の斜視図を示す。図５、図６にはファインダーヒンジ部３００の斜視図を示す。図７にはファインダーヒンジ部３００と電子ビューファインダー部３の固定部の要部の断面図を示す。
【００１３】
ファインダーヒンジ部３００には固定板金３２０と回転板金３５０がファインダーヒンジ回動軸ｂを中心に回動可能に締結されている。二つの固定板金カシメ部３２２は固定板金３２０のベース面３２３から数か所の曲げ加工を経て互いに平行かつ離間して、さらにベース面３２３に対して垂直に具設されている。
【００１４】
回転板金３５０はベース面３５４の左右両端から立ち上がる二つの回転板金カシメ部３５２が前記固定板金カシメ部３２２の内側に密着し、二つのカシメ軸３５９により互いに回動可能に軸着している。
【００１５】
ファインダー上カバー３１とファインダー下カバー３２はファインダーパネル３６０、ファインダーレンズ３７０を内包し、さらにベース面３５４を挟み、締結ねじ３３が穴部３５３を挿通し、ボス３１１に締結されることで電子ビューファインダー部３とファインダーヒンジ部３００が結合する。
【００１６】
≪ビューファインダーとハンドル部の関係≫
図８には本体１にハンドル部２が取りついた前方斜視図を示す。図９にはハンドル部２の下方斜視図を示す。図１０にハンドル部２と本体１の取りつけ部の断面図を示す。
【００１７】
ハンドル部２は本体１の電子ビューファインダー部３の前方の天面部分に配置する。ハンドル部２は前方に長細い環形状の持ち手部を有し、前側には外部マイクホルダー２００と内蔵マイク２１０を備える。図９に示すようにハンドル部２の本体１との結合部には、底面に固定用板金２１がねじ４本でハンドルカバー２３に締結されている。固定用板金２１の中央には穴があり、そこから締結ねじ２５が上下に移動可能である。該締結ねじ２５は上端が回転つまみ２４と固着している。該締結ねじ２５の下側先端部はおねじ２５１となっている。
【００１８】
図３、図１０から、本体１の天面には係合板金１０２が締結されている。前記係合板金１０２は左右が対向したコの字形状を有しており、前記固定用板金２１を製品前方から挿入することで装着される。三脚ねじ１０３のおねじ２５１がめねじ部１３０と螺合することで本体１はハンドル部２と固定される。
【００１９】
図１１にハンドル部２を本体１に装着した際に電子ビューファインダー部３を上方に回動させた状態を示す。
【００２０】
電子ビューファインダー部３は角度Θ１上方に回動することで撮影者が斜め上から覗き込むことが可能となる。ファインダーヒンジ回動軸ｂを中心に回動した電子ビューファインダー部３は当接部Ｘでハンドル部２の後端に当接する。この状態で背面から落下などした場合、電子ビューファインダー部３は力Ｆ１を受ける。この時ハンドル部２は当接部Ｘから斜め上方に向けて力Ｆ２を受けることになる。
【００２１】
図１５にハンドル部２を取り外した状態を示す。ハンドル部２が無いことで電子ビューファインダー部３はΘ２まで回動する。この時Θ１＜Θ２となっており撮影者の自由度が上がっている。
【００２２】
≪本体天面部の構造≫
図１２に天面部の分解斜視図、図１３にファインダーヒンジ部３００の本体１への固定が判る斜視図を示す。図１４に本体１の天面部の部分断面図を示す。
【００２３】
ハンドル取付金具１０２の穴１２０を挿通した４本の取りつけねじ１０５は天面カバー１０１の穴１１０とねじ板１０４の穴１４１を挿通して、さらにシャーシ１０７の穴１７１を挿通し、最後に固定板金３２０の第一のねじ穴３４０に螺合する。
【００２４】
ねじ板１０４の穴１４０を挿通した４本の取りつけねじ１０６はシャーシ１０７の穴１７０を挿通し固定板金３２０の第二のねじタップ３２１に螺合する。固定板金３２０の長穴３２４がピン１７５とピン１７６に勘合することで、ファインダーヒンジ部３００とシャーシ１０７の左右方向の位置が決まる。また、ファインダーヒンジ部３００の二つの固定板金カシメ部３２２から左右に曲がったヒンジ固定面３５１が二つのヒンジ固定ねじ１０８で固定される。
【００２５】
ハンドル部２が本体１に固定された時に、力Ｆ２がハンドル部２に掛かった場合に、ハンドル部２に掛かる力はハンドル取付金具１０２と三脚ねじ１０３に力が掛かる。前述したようにハンドル取付金具１０２も三脚ねじ１０３も固定板金３２０に螺合されている。
【００２６】
製品状態で電子ビューファインダー部３に左右方向からの力がかかっても変形しないように固定板金３２０にはステンレス等の剛性の高い材質を使用している。そのため、ハンドルを介して大きな力が固定板金３２０に掛かっても変形しない。
【００２７】
上記の構成にしたことで、ハンドル部２と電子ビューファインダー部３の距離を離す必要が無いため、製品全長を短くする事が可能となる。
【００２８】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００２９】
１  本体、１１  レンズ、２  ハンドル部、２１  固定用板金、２３  ハンドルカバー、
２４  回転つまみ、２５  締結ねじ、２００  外部マイクホルダー、
２１０  内蔵マイク、２５１  おねじ、３  ビューファインダー部、
３１  ビューファー上カバー、３１１  ボス、３２  ビューファー下カバー、
３３  締結ねじ、４  ヒンジ部、５  パネル部、ａ  パネル開閉軸、６  Ｒカバー部、
６１  ヒンジ収納部、７  電源ノブ、６１  パネルヒンジ収納部、８  トリガーボタン、
ｂ  ビューファーヒンジ回動軸、１０１  天面カバー、１０２  ハンドル取付金具、
１０３  ロックねじ、１０４  ねじ板、１４０  穴、１４１  穴、
１０５  取りつけねじ、１０６  取りつけねじ、１０７  シャーシ、１７０  穴、
１７１  穴、１７５  ピン、１７６  ピン、１０８  ヒンジ固定ねじ、１１０  穴、
３００  ビューファーヒンジ部、３２０  固定板金、３２１  第一のねじタップ、
３２２  固定板金カシメ面、３２３  ベース面、３２４  長穴、３５０  回転板金、３５１  ヒンジ固定面、３５２  回転板金カシメ面、３５３  穴部、３５４  ベース面、
１２０  穴、１２５  穴、１０２  係合板金、１０３  三脚ねじ、１３０  めねじ部、
Ｆ１  力、Ｘ  当接部、Ｆ２  力、３４０  第一のねじ穴
【図１】
2016053662.tif 000003
【図２】
2016053662.tif 000004
【図３】
2016053662.tif 000005
【図４】
2016053662.tif 000006
【図５】
2016053662.tif 000007
【図６】
2016053662.tif 000008
【図７】
2016053662.tif 000009
【図８】
2016053662.tif 000010
【図９】
2016053662.tif 000011
【図１０】
2016053662.tif 000012
【図１１】
2016053662.tif 000013
【図１２】
2016053662.tif 000014
【図１３】
2016053662.tif 000015
【図１４】
2016053662.tif 000016
【図１５】
2016053662.tif 000017